(57)【要約】【課題】  設定した再放送情報を利用して確実な予約録画を可能とする放送記録装置及び放送記録方法を提供する。【解決手段】  放送波又はネットワークを介して送られてくる番組表を取得する取得部３７と、放送波を受信し復調して映像信号を出力するチューナ部４１ｂ，ｃ，ｄ，ｅと、操作部からの操作信号に応じて、取得部で取得された番組表の任意の番組について録画予約を設定する予約設定部３２と、操作部からの操作信号に応じて、予約設定部が録画予約を設定した番組の再放送番組情報を設定する再放送設定部３５と、予約設定部で設定した録画予約に応じてチューナ部を用いて映像信号を記録領域に録画し、予約録画が成功したか失敗したかを判断し、予約録画が失敗したと判断したら再放送設定部で設定された再放送番組情報に応じて予約録画を行なうべく制御する制御部３２，３５とをもつ放送記録装置。【選択図】図１
2007104420.tif 000002
【特許請求の範囲】
【請求項１】
放送波又はネットワークを介して送られてくる番組表を取得する取得部と、
放送波を受信し復調して映像信号を出力するチューナ部と、
操作部からの操作信号に応じて、前記取得部で取得された番組表の任意の番組について録画予約を設定する予約設定部と、
前記操作部からの操作信号に応じて、前記予約設定部が録画予約を設定した番組の再放送番組情報を設定する再放送設定部と、
前記予約設定部で設定した録画予約に応じて前記チューナ部を用いて映像信号を記録領域に録画し、予約録画が成功したか失敗したかを判断し、予約録画が失敗したと判断したら前記再放送設定部で設定された前記再放送番組情報に応じて予約録画を行なうべく制御する制御部と、を具備することを特徴とする放送記録装置。
【請求項２】
前記制御部は、前記録画予約が示す時間情報に対応した録画済の映像信号が前記記録領域に存在しない場合、前記予約録画が失敗したと判断することを特徴とする請求項１記載の放送記録装置。
【請求項３】
前記制御部は、前記録画予約が示す時間情報に対応した録画済の映像信号がノイズ成分のみであることが検出された場合、又は前記録画予約が示す時間情報に対応した録画済の映像信号が前記録画予約で設定された画質を有していない場合、前記予約録画が失敗したと判断することを特徴とする請求項１記載の放送記録装置。
【請求項４】
前記取得部で取得された番組表の任意の番組について、反復的に予約を行なうシリーズ予約を設定し、このシリーズ予約に応じて録画予約を行なう処理部を更に有しており、
前記再放送設定部は、前記シリーズ予約された任意の番組に対する再放送番組情報を設定し、この再放送番組情報に基づき前記番組表を検索して再放送番組を自動検出し、
前記制御部は、前記処理部で行なった前記シリーズ予約に応じた録画予約に基づき前記チューナ部を用いて映像信号を記録領域に録画し、予約録画が失敗したと判断したら、前記検出された再放送番組の予約録画を行なうべく制御することを特徴とする請求項１記載の放送記録装置。
【請求項５】
前記再放送設定部が設定する前記再放送番組情報とは、前記再放送番組が前記番組表中のどこに存在するかを示す時間帯情報であることを特徴とする請求項４記載の放送記録装置。
【請求項６】
前記再放送設定部が設定する前記再放送番組情報とは、前記再放送番組が前記番組表中のどこに存在するかを示す曜日情報であることを特徴とする請求項４記載の放送記録装置。
【請求項７】
放送波又はネットワークを介し取得した番組表の任意の番組について録画予約を設定し、
前記録画予約を設定した番組の再放送番組情報を設定し、
前記設定した録画予約に応じてチューナを用いて映像信号を記録領域に録画し、予約録画が成功したか失敗したかを判断し、予約録画が失敗したと判断したら前記再放送番組情報に応じて予約録画を行なうことを特徴とする放送記録方法。
【請求項８】
前記録画予約が示す時間情報に対応した録画済の映像信号が前記記録領域に存在しない場合、前記予約録画が失敗したと判断することを特徴とする請求項７記載の放送記録方法。
【請求項９】
前記録画予約が示す時間情報に対応した録画済の映像信号がノイズ成分のみであることが検出された場合、又は前記録画予約が示す時間情報に対応した録画済の映像信号が前記録画予約で設定された画質を有していない場合、前記予約録画が失敗したと判断することを特徴とする請求項７記載の放送記録方法。
【請求項１０】
前記番組表の任意の番組について、反復的に予約を行なうシリーズ予約を設定し、このシリーズ予約に応じて録画予約を行ない、
前記シリーズ予約された任意の番組に対する再放送番組情報を設定し、この再放送番組情報に基づき前記番組表を検索して再放送番組を自動検出し、
前記シリーズ予約に応じた録画予約に基づきチューナを用いて映像信号を記録領域に録画し、予約録画が失敗したと判断したら、前記検出された再放送番組の予約録画を行なうべく制御する請求項７記載の放送記録方法。
【請求項１１】
前記再放送番組情報とは、前記再放送番組が前記番組表中のどこに存在するかを示す時間帯情報であることを特徴とする請求項１０記載の放送記録方法。
【請求項１２】
前記再放送番組情報とは、前記再放送番組が前記番組表中のどこに存在するかを示す曜日情報であることを特徴とする請求項１０記載の放送記録方法。
【発明の詳細な説明】
【技術分野】
【０００１】
この発明は、放送記録装置に関し、特に、録画予約を行なった番組に対する再放送番組情報を利用する放送記録装置及び放送記録方法に関するものである。
【背景技術】
【０００２】
近年、ハードディスクドライブ（ＨＤＤ）、ＤＶＤ（デジタルバーサタイルディスク）等の記録媒体に関して記録容量の向上が得られ、これらの記録媒体を用いた放送記録装置では、多くの番組を予約録画可能となっている。
【０００３】
一方では、放送方式として、地上アナログ放送、地上デジタル放送、衛星アナログ放送、衛星デジタル放送等、各種の放送方式が実現化されている。このような環境の中にあって、同一内容の番組が異なる放送方式で放映されることもある。更には、同じ放送方式であっても異なる時間帯に、同一内容の番組が再放送されることもあり得る。
【０００４】
これに対して特許文献１は、番組ガイド表を利用した番組録画予約が実行されたときに、同一タイトル等の番組をシリーズ番組として予約登録し録画を行なう放送信号受信記録システムである。
【特許文献１】特開２００１−２４５２４４公報。
【発明の開示】
【発明が解決しようとする課題】
【０００５】
しかし、この引用文献１においては、ある番組について予約録画が失敗に終わった場合、放送記録装置はそれ以上何もすることはなく、予約番組は録画されることがないという問題がある。
【０００６】
本発明は、設定した再放送情報を利用して確実な予約録画を可能とする放送記録装置及び放送記録方法を提供することを目的とする。
【課題を解決するための手段】
【０００７】
放送波又はネットワークを介して送られてくる番組表を取得する取得部と、放送波を受信し復調して映像信号を出力するチューナ部と、操作部からの操作信号に応じて、前記取得部で取得された番組表の任意の番組について録画予約を設定する予約設定部と、前記操作部からの操作信号に応じて、前記予約設定部が録画予約を設定した番組の再放送番組情報を設定する再放送設定部と、前記予約設定部で設定した録画予約に応じて前記チューナ部を用いて映像信号を記録領域に録画し、予約録画が成功したか失敗したかを判断し、予約録画が失敗したと判断したら前記再放送設定部で設定された前記再放送番組情報に応じて予約録画を行なうべく制御する制御部とを具備することを特徴とする放送記録装置である。
【発明の効果】
【０００８】
予約録画が失敗した場合でも、設定した再放送情報を利用して失敗した番組の予約録画を自動的に行なう放送記録装置を提供する。
【発明を実施するための最良の形態】
【０００９】
以下、この発明の実施の形態について図面を参照して詳細に説明する。  
初めにこの実施形態が適用される放送記録装置の一例を図面を用いて詳細に説明する。
【００１０】
＜本発明に係る放送記録装置の一例＞
（構成及び動作）
図１では、記録媒体としてＤＶＤ等の光ディスクとハードディスクの双方を取り扱うことができる装置として示しているが、ハードディスク又はＤＶＤ等の光ディスクは例えば半導体メモリによる記録媒体等に置換されてもよい。
【００１１】
図１において、各ブロックを大きく分けると、左側には記録部の主なブロックを示し，右側には再生部の主なブロックを示している。
【００１２】
図１の放送記録装置は、ディスクドライブ部１００２と、ハードディスクドライブ部２００１の２種類のディスクドライブ部を有する。まず、ディスクドライブ部１００２は、ビデオファイルを構築できる情報記録媒体である第１のメディアとしての光ディスク１００１を回転駆動し、情報の読み書きを実行する。ディスクドライブ部１００２は、光ディスク１００１に対する回転制御系、レーザ駆動系、光学系等を有する。又、ハードディスクドライブ部２００１は、第２のメディアとしてのハードディスクを駆動する。
【００１３】
データプロセッサ部１００３は、ディスクドライブ部１００２及びハードディスクドライブ部２００１に記録データを供給することができ、又、再生された信号を受け取ることができる。ディスクドライブ部１００２は、光ディスク１００１に対する回転制御系、レーザ駆動系、光学系等を有する。
【００１４】
データプロセッサ部１００３は、記録又は再生単位のデータを取り扱うもので、バッファ回路、変調・復調回路、エラー訂正部等を含む。
【００１５】
又、図１の放送記録装置は、録画側を構成するエンコーダ部５０と、再生側を構成するデコーダ部６０と、装置本体の動作を制御するマイクロコンピュータブロック３０とを主たる構成要素としている。エンコーダ部５０は、トランスポートストリーム処理部及び複数のエンコーダを含む。
【００１６】
エンコーダ部５０は、基本的には入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。
【００１７】
エンコーダ部５０からのエンコード出力は、バッファメモリを含むフォーマッタ５１にて所定のＤＶＤ-ＲＡＭのフォーマットに変換され、先のデータプロセッサ部１００３に供給される。
【００１８】
なおトランスポートストリームから抽出したパケットエレメンタリーストリームがエンコーダ部５０から直接ハードディスクドライブ部２００１のハードディスクに記録される場合もある。
【００１９】
エンコーダ部５０には、スイッチ５３を介して、ＡＶ入力部４１ａからの外部アナログビデオ信号と外部アナログオーディオ信号が入力することができる。又、エンコーダ部５０には、地上波アナログチューナ４１ｃ、地上波デジタルチューナ４１ｃ、衛星ＢＳ／ＣＳチューナ４１ｅ，衛星アナログチューナ４１ｅからの受信信号が選択的に入力することができる。又、エンコーダ部５０で複数のデコーダが活用される場合、地上波デジタルチューナ４１ｃで受信した番組がハードディスクドライブ部２００１で録画され、同時に、衛星ＢＳ／ＣＳチューナ４１ｄで受信した番組を視聴することも可能である。
【００２０】
なお、エンコーダ部５０は、圧縮されたデジタルビデオ信号やデジタルオーディオ信号が直接入力されるときは、圧縮デジタルビデオ信号やデジタルオーディオ信号を直接フォーマッタ５１に供給することもできる。又、エンコーダ部５０は、アナログデジタル変換されたデジタルビデオ信号やオーディオ信号を、ビデオミキシング部７１やオーディオセレクタ７６に直接供給することもできる。
【００２１】
エンコーダ部５０に含まれるＭＰＥＧビデオエンコーダでは、デジタルビデオ信号はＭＰＥＧ２又はＭＰＥＧ１規格に基づいた可変ビットレートで圧縮されたデジタルビデオ信号に変換される。デジタルオーディオ信号は、ＭＰＥＧ又はＡＣ−３規格に基づいて固定ビットレートで圧縮されたデジタルオーディオ信号、又はリニアＰＣＭのデジタルオーディオ信号に変換される。
【００２２】
副映像信号がＡＶ入力部４１から入力された場合（例えば副映像信号の独立出力端子付ＤＶＤビデオプレーヤからの信号等）、又はこのようなデータ構成のＤＶＤビデオ信号が放送されてそれがＴＶチューナ部４２で受信された場合は、ＤＶＤビデオ信号中の副映像信号が副映像エンコーダでエンコード（ランレングス符号化）されて副映像のビットマップとなる。
【００２３】
エンコードされたデジタルビデオ信号、デジタルオーディオ信号、副映像データは、フォーマッタ５１にてパック化され、ビデオパック、オーディオパック、副映像パックとなり、更にこれらが集合されて、ＤＶＤ-ビデオ規格で規定されたフォーマット（ＤＶＤ  Ｖｉｄｅｏフォーマット）や、ＤＶＤ-レコーディング規格で規定されたフォーマット（ＤＶＤ  ＶＲフォーマット）に変換される。フォーマッタ５１は、上記の変換処理のとき、バッファメモリ５２も利用している。
【００２４】
図１の装置は、フォーマッタ５１でフォーマット化された情報（ビデオ、オーディオ、副映像データ等のパック）及び作成された管理情報を、データプロセッサ部１００３を介してハードディスクドライブ部２００１又はデータディスクドライブ部１００２に供給し、ハードディスク又は光ディスク１００１に記録することができる。又、ハードディスク又は光ディスク１００１に記録された情報を、データプロセッサ部１００３、ディスクドライブ部１００２を介して光ディスク１００１又はハードディスクに記録することもできる。
【００２５】
又、ハードディスク又は光ディスク１００１に記録されている複数番組のビデオオブジェクトを、一部削除したり、異なる番組のオブジェクトをつなげたり、といった編集処理を行うこともできる。
【００２６】
マイクロコンピュータブロック３０は、ＭＰＵ（マイクロプロセッシングユニット）、又はＣＰＵ（セントラルプロセッシングユニット）と、制御プログラム等が書きこまれたＲＯＭと、プログラム実行に必要なワークエリアを提供するためのＲＡＭとを含んでいる。マイクロコンピュータブロック３０は、ネットワークインターフェース３０ａを介して、外部ネットワークに接続することが可能である。これにより、外部のサーバーから電子番組案内情報（ＤＥＰＧ：Dynamic Electronic Program Guide）を取り込むことも可能である。
【００２７】
更にマイクロコンピュータブロック３０のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定等を実行する。
【００２８】
又、マイクロコンピュータブロック３０は、装置の各ブロックを統括して制御するために必要な情報処理部を有するもので、ワークＲＡＭ３１、番組予約録画制御部３２、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部等を備える。
【００２９】
又、マイクロコンピュータブロック３０は、録画を実行する際の管理情報の制御部３４と、編集を実行する際の管理情報の制御部３３をも備える。
【００３０】
更に、マイクロコンピュータブロック３０は、再放送番組制御部３５、ＧＵＩ（グラフィックユーザインターフェース）画面制御部３６、シリーズ番組処理部３９が設けられている。又、ネットワークＩ／Ｆ３０ａや地上波アナログチューナ４１ｂ、地上波デジタルチューナ４１ｃ等を介して、電子番組表を取得する番組表取得部３７と、シリーズ番組処理部３９を備える。この再放送番組制御部３５とＧＵＩ（グラフィックユーザインターフェース）画面制御部３６の動作については、更にあとで詳しく説明することにする。
【００３１】
ＭＰＵの実行結果のうち、ユーザに通知すべき内容は、映像データ放送記録装置の表示部４３に表示されるか、又はモニターディスプレイにＯＳＤ（オンスクリーンディスプレイ）表示される。
【００３２】
又、マイクロコンピュータブロック３０は、この装置を操作するための操作信号を与えるキー入力部２０，４４を有する。このキー入力部２０，４４は、例えば放送記録装置の本体上に設けた操作スイッチ類や、又はリモートコントローラ２０等に相当する。又、放送記録装置と有線通信又は無線通信又は光通信や赤外線通信等の手段を用いて接続されたパーソナルコンピュータであってもよい。いずれの形態であるにせよ、ユーザがこのキー入力部２０，４４を操作することにより、入力された映像音声信号の録画処理や、録画されたコンテンツの再生処理、又は録画されたコンテンツに対する編集処理等を施すことができる。
【００３３】
なお、マイクロコンピュータブロック３０が、ディスクドライブ部１００２、ハードディスクドライブ部２００１、データプロセッサ部１００３、エンコーダ部５０及び／又はデコーダ部６０等を制御するタイミングは、ＳＴＣ（システムタイムクロック）３８からの時間データに基づいて実行することができる。録画や再生の動作は、通常はＳＴＣ３８からのタイムクロックに同期して実行されるが、それ以外の処理はＳＴＣ３８とは独立したタイミングで実行されてもよい。
【００３４】
デコーダ部６０は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。又、デコードされた主映像にデコードされた副映像を適宜合成し、主映像にメニュー、ハイライトボタン、字幕やその他の副映像を重ねて出力するビデオプロセッサを備えている。
【００３５】
デコーダ部６０の出力ビデオ信号は、ビデオミキシング部７１に入力される。ビデオミキシング部７１では、例えばテキストデータの合成が行われる。又、ビデオミキシング部７１には、ＴＶチューナやＡＶ入力部４１aからの信号を直接取り込むラインも又接続されている。ビデオミキシング部７１には、バッファとして用いるフレームメモリ７２が接続されている。ビデオミキシング部７１の出力がアナログ出力の場合はＩ／Ｆ（インタフェース）７３を介して外部出力され、デジタル出力の場合はデジタルアナログ変換器７４を介して外部へ出力される。
【００３６】
デコーダ部６０の出力オーディオ信号は、セレクタ７６を介してデジタルアナログ変換器７７でアナログ変換され外部に出力される。セレクタ７６は、マイクロコンピュータブロック３０からのセレクト信号により制御される。これによりセレクタ７６は、ＴＶチューナやＡＶ入力部４１aからのデジタル信号を直接モニタする時、エンコーダ部５０をスルーした信号を直接選択することも可能である。
【００３７】
なお、エンコーダ部５０のフォーマッタでは、録画中、各切り分け情報を作成し、定期的にマイクロコンピュータブロック３０のＭＰＵへ送る（ＧＯＰ先頭割り込み時等の情報）。切り分け情報としては、ＶＯＢＵのパック数、ＶＯＢＵ先頭からのIピクチャのエンドアドレス、ＶＯＢＵの再生時間等である。
【００３８】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータ等を保存し、再生時、各デコーダ部ではこの情報を元に初期設定が行われる。
【００３９】
又、本装置では、ＤＶＤに記録するビデオファイルは１ディスクに１ファイルとしている。又、データをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行っている。
【００４０】
データプロセッサ部１００３は、エンコーダ部５０のフォーマッタからＶＯＢＵ単位のデータを受け取り、ＣＤＡ単位のデータをディスクドライブ部１００２又はハードディスクドライブ部２００１に供給している。又、マイクロコンピュータブロック３０のＭＰＵは、記録したデータを再生するのに必要な管理情報を作成し、データ記録終了のコマンドを認識すると、作成した管理情報をデータプロセッサ部１００３に送る。これにより、管理情報がディスクに記録される。従って、エンコードが行われているとき、エンコーダ部５０からマイクロコンピュータブロック３０のＭＰＵは、データ単位の情報（切り分け情報等）を受け取る。又、マイクロコンピュータブロック３０のＭＰＵは、記録開始時には光ディスク及びハードディスクから読み取った管理情報（ファイルシステム）を認識し、各ディスクの未記録エリアを認識し、データ上の記録エリアをデータプロセッサ部１００３を介してディスクに設定している。
【００４１】
図２には、リモートコントローラ２０の概観を示している。主な操作キーとして、電源をオンオフするための電源キー２０ａ、トップメニュー画面を表示させるためのトップメニューキー２０ｂが示されている。メニューキー２０ｃは、例えばＤＶＤ等の媒体に記録されているメニューを表示させときに操作する操作キーである。更に、決定キー２０ＤＥ、カーソルをそれぞれ上、下、右、左に移動させるためのカーソル操作キー２０ＵＰ，２０ＤＷ，２０Ｒ，２０Ｌが示されている。
【００４２】
＜再放送情報を利用した予約録画処理＞
次に、上述した放送記録装置における再放送情報を利用した予約録画処理について、図フローチャートを用いて詳細に説明する。図３は、本発明の一実施形態に係る放送記録装置で用いる番組表の一例を示す説明図、図４は、本発明の一実施形態に係る放送記録装置で用いる予約録画設定画面の一例を示す説明図、図５は、本発明の一実施形態に係る放送記録装置で用いる予約録画設定画面の他の一例を示す説明図、図６乃至図８は、本発明の一実施形態に係る放送記録装置における録画予約処理の一例を示すフローチャートである。
【００４３】
（通常の予約録画処理）
本発明の一実施形態に係る放送記録装置における再放送情報を利用した予約録画処理とは、通常の予約録画が何かの事情で失敗した際に、ユーザが設定した再放送情報に基づいて予約録画に失敗した番組の再放送番組を自動的に予約録画するものである。
【００４４】
・録画予約及び再放送情報の設定
初めに、録画予約処理について説明すると、図６のフローチャートにおいて、番組予約録画制御部３２及び番組表取得部３７の制御に基づき、ユーザはリモートコントロール２０等の操作によって、例えば、図３に示すような番組表を画面に表示する（ステップＳ１１）。この番組表においてユーザは、ＢＳジャパン  ＢＳ−１７１チャンネルの『Ｍｔ．  Ｆｕｊｉ  Ｊａｚｚ  Ｆｅｓｔｉｖａｌ』という番組を選択し、リモコン２０の予約ボタンを操作することで（ステップＳ１２）、図４に示す録画予約画面において、同番組の録画予約が設定される（ステップＳ１３）。更に、番組表を画面表示させるべくユーザのリモコン２０の操作があると（ステップＳ１４）、例えば、３月１９日の番組表（図示しない）が表示される（ステップＳ１５）。そして、ユーザの判断による操作でこの番組表において３月１９日（土）の２２：００〜２３：００に放送予定のＢＳジャパン  ＢＳ−１７１チャンネルの『Ｍｔ．  Ｆｕｊｉ  Ｊａｚｚ  Ｆｅｓｔｉｖａｌ』の再放送が特定されると（ステップＳ１６）、図５に示す予約録画設定画面において、同番組の再放送の設定の完了が表示される（ステップＳ１７）。これに従って、ＢＳジャパン  ＢＳ−１７１チャンネルの『Ｍｔ．  Ｆｕｊｉ  Ｊａｚｚ  Ｆｅｓｔｉｖａｌ』の３月１３日（日）の１８：００−１９：００の録画予約と、同番組の３月１９日（土）の２２：００−２３：００の再放送の設定とがＲＡＭ３１又は番組予約録画制御部３２の記憶領域に格納される（ステップＳ１８）。
【００４５】
なお、ここで、再放送情報は特定の番組を示す情報であったが、再放送情報は、具体的な番組情報でなくともよく、例えば、時間帯や曜日、チャンネル等の番組の属性情報であることも好適である。
【００４６】
（再放送情報を用いる予約録画処理）
次に、このような録画予約が設定された状態で、番組予約録画制御部３２の制御において、図７のフローチャートに示すように録画処理がなされる。すなわち、録画予約に設定された開始時刻になれば（ステップＳ２１）、ＨＤＤ部２００１やディスク１００１の容量の不足、ディスクの未挿入、予約優先度の不足（既に優先度の高い録画が行われていると優先度が低い予約録画は録画開始できない）等の理由により録画不能かどうかが問われる（ステップＳ２２）。ここで、これらの理由等により録画不能であれば、後述するステップＳ２８に飛んで再放送番組による録画予約がなされる。
【００４７】
録画可能となれば、番組予約録画制御部３２の制御において、録画予約情報に応じた番組、上記の例であれば、ＢＳ−１７１チャンネルの『Ｍｔ．  Ｆｕｊｉ  Ｊａｚｚ  Ｆｅｓｔｉｖａｌ』の３月１３日（日）の１８：００−１９：００の録画予約に応じて、衛星ＢＳ／ＣＳチューナ４１ｄが稼動することで、番組の音声映像信号がスイッチ５３を介してエンコーダ部５０に供給され、エンコードされた映像音声信号がＤ−ＰＲＯ部１００３を介し、例えば、ＨＤＤ部２００１部に供給されて、録画が行なわれる（ステップＳ２３）。そして、録画予約の終了時刻になると（ステップＳ２４）、ＨＤＤ部２００１部等に行なわれていた録画が終了する（ステップＳ２５）。
【００４８】
ここで、番組予約録画制御部３２及び再放送番組制御部３５の制御下において、この予約録画が成功したかどうかを後述する判断方法に応じて判断する（ステップＳ２６）。録画は予定通り成功したと判断されれば（ステップＳ２７）、録画は完了したものとして処理が終了する。録画が失敗したと判断されれば、録画予約に再放送番組が設定されているかどうかが判断され（ステップＳ２８）、再放送番組が設定されていなければ同様に処理が終了する。
【００４９】
ステップＳ２８で再放送番組が設定されているとすれば、再放送番組情報が録画予約情報に変更され、具体的には、例えば、ＢＳジャパン  ＢＳ−１７１チャンネルの『Ｍｔ．  Ｆｕｊｉ  Ｊａｚｚ  Ｆｅｓｔｉｖａｌ』の３月１９日（土）の２２：００−２３：００の再放送情報が新たな予約情報としてＲＡＭ３１又は番組予約録画制御部３２の記憶領域に格納される（ステップＳ２９）。そして、ステップＳ２１以降の処理において、通常の録画予約処理として扱われるものである。
【００５０】
・録画予約の判断処理
次に、録画予約が成功したか失敗したかについて判断する判断処理を図８のフローチャートに応じて説明する。初めに、番組予約録画制御部３２及び再放送番組制御部３５の制御下において、録画予約情報が示す時間に対応する録画済の映像情報がＨＤＤ部２００１やディスクドライブ部１００２の記憶領域に存在するかどうかを判断する（ステップＳ３１）。すなわち、ＢＳ−１７１チャンネルの『Ｍｔ．  Ｆｕｊｉ  Ｊａｚｚ  Ｆｅｓｔｉｖａｌ』であれば、３月１３日（日）の１８：００−１９：００に録画された映像情報が記憶領域にあるかどうかを判断する。ここで、チャンネルも合わせて判断することも好適である。この映像情報が録画予約に対応したものでなければ、予約録画は失敗したものと判断する（ステップＳ３６）。
【００５１】
この映像情報が録画予約に対応したものであれば、次に、映像情報が、チューナが何も受信できなかったときに出力する、単調なノイズ画面、いわゆる砂あらしの映像情報ではないかどうかが判断される（ステップＳ３２）。ここで、砂あらしの映像情報がどのような映像信号となるかを予めメモリ等に記憶しておき、該当の映像情報と記憶した砂あらしの映像情報とを比較することが好適である。この映像情報が砂あらしの映像情報であれば、予約録画は失敗したものと判断する（ステップＳ３６）。
【００５２】
この映像情報が問題がなければ、次に、この映像情報が予約された画質をもつ映像情報であるかどうかが問われる（ステップＳ３３）。すなわち、画質とは、ＨＤ，ＳＤ，ＳＰ，ＬＰ，ＭＮ等であり、例えば、ＳＰ（標準）で設定していたにもかかわらず、それよりも低画質のＬＰ（低画質）で録画されていた場合は、画質が設定のものでなく、予約録画は失敗したものと判断する（ステップＳ３６）。
【００５３】
映像情報の画質が設定のものであれば、次に、予約済みの映像情報（又は音声情報等）は予定された画像情報（又は音声情報等）を保有する映像情報（又は音声情報等）であるかどうかを判断する（ステップＳ３４）。この予定された画像情報（又は音声情報等）とは、例えば、ドラマ番組であれば、番組タイトルの音楽や映像であり、このような画像情報（又は音声情報等）を予め記憶領域に記憶しておき、録画済の映像音声信号にこのような画像情報（又は音声情報等）が録画されているかを判断してみることが好適である。なお、この判断はユーザのマニュアル操作によるサンプル画像情報、サンプル音声情報の特定処理が必要であり、特定処理が行なわれていなければ判断をスキップすることとなる。
【００５４】
ステップＳ３４で、録画済の映像音声信号がユーザのサンプル画像情報、サンプル音声情報を保有していなければ、予約録画は失敗したものと判断する（ステップＳ３６）。ステップＳ３４で、録画済の映像音声信号がユーザのサンプル画像情報、サンプル音声情報を保有していれば、予約録画は成功したと判断する（ステップＳ３５）。
【００５５】
以上のように本発明に係る一実施形態である放送記録装置において、録画予約が終了すると自動的に録画状態を判断し録画が失敗したと思われる場合も、ユーザが設定した再放送番組情報に応じて自動的にその番組の予約録画がなされるため、確実な予約録画処理を行なうことが可能となるものである。
【００５６】
（シリーズ予約による予約録画処理）
次に、上述した放送記録装置における『再放送情報を用いる予約録画処理』を、『シリーズ予約処理』に適用した場合を、図面を用いて以下に詳細に説明する。図９は、本発明の一実施形態に係る放送記録装置における番組表の一例を示す説明図、図１０は、同様に放送記録装置における録画予約画面の一例を示す説明図、図１１は、同様に放送記録装置におけるおまかせ自動録画設定の画面の一例を示す説明図、図１２は、同様に放送記録装置における番組予約リストの一例を示す説明図、図１３は、同様に放送記録装置におけるシリーズ予約処理の一例を示すフローチャート、図１４は、同様に放送記録装置におけるシリーズ予約処理の他の一例を示すフローチャートである。
【００５７】
・番組ナビゲーション画面
ここで、『シリーズ予約処理』とは、例えば、連続番組、例えば連続ドラマ『天城越え』（例えば第１回）の一番組を録画予約する設定画面において、『シリーズ予約にする』等のアイコンをクリックする等の簡単な操作によって、以降の『天城越え』（第２回〜第ｎ回）の予約設定をユーザの特別な操作を要せずに放送記録装置の機能として自動的に行なう機能をいう。
【００５８】
次に、この放送記録装置におけるシリーズ予約処理に関する特徴的な操作画面と動作について説明する。図９の画面では、放送日、時間帯、番組が放送される放送方式及びチャンネル、各時間帯の番組名のリストが表示される。
【００５９】
図９の画面１０２から更に移行できる画面について説明する。図９の画面１０２において、今、リモートコントローラ２０のカーソルキーを操作して、例えば、「天城越え」と言う番組題名を選択し、決定キー２０ＤＥを押したとする。すると、図１０に示すような録画予約画面１０３に移行する。
【００６０】
図１０の録画予約画面１０３では、予約番組に関する番組名、放送時間などが表示される。ここで録画予約画面１０３では、「シリーズ予約」を設定するかどうかの項目８０ａ、「予約キャンセル」の項目８０ｂ、が表示される。
【００６１】
ここでユーザが、リモートコントローラ２０のカーソルキーを操作して、例えば、「シリーズ予約」と言う項目８０ａを選択し、決定キー２０ＤＥを押したとする。すると、図１１のおまかせ自動録画設定画面１０４に示すように、予約番組の番組名の複数部分がキーワードとして自動的に設定される。ここでは、“天城越え”がキーワードとして設定されている。これは番組名の情報がそのまま転送されてくる。
【００６２】
勿論、時間帯及びチャンネルなどの設定情報が表示される。又、キーワードとしては、番組名の中に“含まる”キーワード、“含まない”キーワードを設定することができる。ここでは、“天城越え”が“含まれる”キーワードとして設定し、“え”を“含まない”キーワードとして設定することも可能であり、キーワードの修正は可能である。
【００６３】
又、このおまかせ自動録画設定画面１０４において、ユーザは、リモートコントローラ２０のカーソルキーを操作して、『天城越え』の再放送の時間帯が『２２：００〜２３：００』であり、チャンネルが『ＢＳ０３１  ＣＣＮＳチャンネル』であることを設定することができる。
【００６４】
その後、このおまかせ自動録画設定画面１０４において設定されたシリーズ予約画面のシリーズ番組条件セットに合致する番組情報が、図９の番組表から検索され、更に、番組情報が重複しないように予約を登録したリストが、図１２に示すシリーズ番組予約リスト１０８である。このシリーズ番組予約リストでは、連続ドラマ『天城越え』（第１回）〜（第４回）及びユーザが設定した再放送の時間帯により特定された再放送である連続ドラマ『天城越え』（第１回）〜（第４回）が登録されている。
【００６５】
・シリーズ予約処理概要
次に、図１３を用いてシリーズ予約処理の動作の概要を説明する。  
太い線で囲む部分のステップＳ４１，Ｓ４４，Ｓ４５，Ｓ４９は、画面制御部３６を介してモニタ３００１に表示される内容が処理されるステップである。又、点線で囲むステップＳ４７，Ｓ５１は、ユーザは画面上で見ることはできないが、制御部３０の制御のもとで、メモリに記憶されている内容が参照されて処理されるステップである。又、四角で囲むステップＳ４２，Ｓ４３，Ｓ４６，Ｓ４８，Ｓ５０は、装置内部でデータ処理が行われるステップである。ステップＳ４１は、図９の画面に対応する。
【００６６】
ステップＳ４２、ステップＳ４３は、図１１のおまかせ自動録画設定画面１０４によりシリーズ予約がされたときに、予約条件（キーワード等）に合致する番組を検索するステップである。ステップＳ４６は、予約一覧のテーブルに記載されている番組情報に無く、又、過去の予約録画成功した番組情報にも無い、番組情報を検索し、判定するステップである。つまり、ここでは、同一シリーズの番組であるが、第１話、第２話、第３話、…と続くような番組であり、最も新しくて、番組内容が異なる番組を判定することになる。ここで、ユーザにとって新規であるとして判定された番組が検索されたとき、その既に予約されている番組の内容と内容の重複がないかどうかを判断するステップが次のステップＳ４７である。つまりＳ４７では、検索された番組が再放送の番組であるかどうかを判定できることになる。放送時間帯が異なっても、既に録画されているドラマの第２話が再放送されることもあるので、このような番組は予約されない。
【００６７】
このように、本放送の番組が予約されているのに、再放送の番組を本放送の番組と誤ってシリーズ予約しては、無駄になるので、ステップＳ４７の結果を用いて、ステップＳ４８において、内容的に重複が無いように、図１２のシリーズ番組予約リスト１０８を完成させる。又、Ｓ４５のシリーズ再放送検索結果は、再放送として図１２のシリーズ番組予約リスト１０８の中に登録される。
【００６８】
・シリーズ予約処理詳細
次に、図１４を用いてシリーズ予約処理の動作の詳細を以下に説明する。図１４には、シリーズ予約が行なわれるときの処理フローチャートを示している。この動作は、シリーズ番組予約・録画制御部３０内における番組予約録画制御部３２、再放送番組制御部３５、シリーズ番組処理部３９等の各制御ユニットの結合で実現される。
【００６９】
ユーザは、図９の電子番組表１０２において、所望の番組の領域をカーソルで選択しそして決定キーを押す（ステップＳ６２）。すると、図１０に示した予約設定画面１０３が現れる（ステップＳ６３）。
【００７０】
ここで、画面上の「登録」の位置にカーソルを合わせて、決定キーを押すと（ステップＳ６４）、選択した番組の番組情報が登録され、録画予約が行なわれる（ステップＳ６６）。しかし、ステップＳ６４で「登録」ボタンを押さず、画面上の『シリーズ予約にする』８０ａの位置にカーソルを合わせて決定キーを押すと（ステップＳ６５）、表示上の番組情報（番組表上で選択した番組に対応する情報）が自動的に登録される（ステップＳ６７）。これは、ユーザが自ら選択した番組は重要であり、シリーズ番組であることが明白であるからである。次に、図１１に示される表示画面１０４にて、おまかせ自動録画設定に移行する。ここでは、シリーズ予約を行なう番組情報をサーチする条件（キーワード、画質、優先度など）が自動的に、キーワード枠に入力される。なお、ここでユーザは、「天城越え」等の語句を適宜、分割し編集して、他の枠に分離する等し、サーチ条件を最終決定することも可能である。
【００７１】
この画面１０４において、ユーザは、『天城越え』の再放送番組が時間帯『２２：００〜２３：００』にあること、又、そのチャンネルが『ＢＳ０３１  ＣＣＮＳチャンネル』であることを設定することができる（ステップＳ６９）。その後、『設定完了』ボタンが押されると（ステップＳ７０）、シリーズ予約情報が設定される（ステップＳ７１）。
【００７２】
なお、ここで、再放送情報は時間帯とチャンネル情報であったが、再放送情報はなんでもよく、例えば、具体的な番組情報でもよく、又、曜日、チャンネル等の番組の属性情報であればどのようなものでも可能である。
【００７３】
この後、設定されたシリーズ予約情報である、『天城越え』、『ＢＳ０３１  ＣＣＮＳチャンネル』、『１０：００〜１１：００』等の情報、及び、再放送時間帯情報『２２：００〜２３：００』、そのチャンネル情報『ＢＳ０３１  ＣＣＮＳチャンネル』に基づいて、検索処理がなされ検索結果がそれぞれ出力される。これらの検索結果から、他の予約リスト（Ｓ４９）・予約録画成功番組（Ｓ５１）等と重複なきように処理して、図１２に示すシリーズ番組予約リスト１０８を生成する（ステップＳ７２）。
【００７４】
この図１２に示すシリーズ番組予約リスト１０８において、シリーズ予約処理により、天城越え（第１回）から天城越え（第４回）の録画予約処理（Ｐ１，Ｐ２，Ｐ３，Ｐ４）が行なわれている。更に、ユーザがステップＳ６９において任意に設定した再放送時間帯に対応して、天城越え（第１回）から天城越え（第４回）の再放送情報がそれぞれ対応して登録されている。
【００７５】
・シリーズ予約処理の後の予約録画処理
放送記録装置において、このシリーズ番組予約リスト１０８に基づき、予約録画処理が行なわれるが、この予約録画処理は、先に図６、図７で示されたフローチャートの手順により行なわれるためここでは説明を省略する。再放送情報が含まれる予約録画処理により、万が一、例えば、天城越え（第２回）の録画予約に失敗したと図８の判断フローチャートにより判断された場合でも、天城越え（第２回）の再放送情報に従って、１０月１１日（火）の２２：００〜２３：００において予約録画が行なわれるものである。従って、シリーズ予約処理においても同様に、ユーザが設定した再放送情報に基づく確実な予約録画処理が可能となるものである。
【００７６】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００７７】
【図１】本発明の一実施形態に係る放送記録装置の構成の一例を示すブロック図。
【図２】本発明の一実施形態に係る放送記録装置のリモコンの一例を示す説明図。
【図３】本発明の一実施形態に係る放送記録装置で用いる番組表の一例を示す説明図。
【図４】本発明の一実施形態に係る放送記録装置で用いる予約録画設定画面の一例を示す説明図。
【図５】本発明の一実施形態に係る放送記録装置で用いる予約録画設定画面の他の一例を示す説明図。
【図６】本発明の一実施形態に係る放送記録装置における録画予約処理の一例を示すフローチャート。
【図７】本発明の一実施形態に係る放送記録装置における予約録画処理の一例を示すフローチャート。
【図８】本発明の一実施形態に係る放送記録装置における録画状態の判断処理の一例を示すフローチャート。
【図９】本発明の一実施形態に係る放送記録装置における番組表の一例を示す説明図。
【図１０】本発明の一実施形態に係る放送記録装置における録画予約画面の一例を示す説明図。
【図１１】本発明の一実施形態に係る放送記録装置におけるおまかせ自動録画設定の画面の一例を示す説明図。
【図１２】本発明の一実施形態に係る放送記録装置における番組予約リストの一例を示す説明図。
【図１３】本発明の一実施形態に係る放送記録装置におけるシリーズ予約処理の一例を示すフローチャート。
【図１４】本発明の一実施形態に係る放送記録装置におけるシリーズ予約処理の他の一例を示すフローチャート。
【符号の説明】
【００７８】
３０…制御部、３１…ＲＡＭ、３２…番組予約録画制御部、３５…再放送番組制御部、３７…シリーズ番組処理部。
【図１】
2007104420.tif 000003
【図２】
2007104420.tif 000004
【図３】
2007104420.tif 000005
【図４】
2007104420.tif 000006
【図５】
2007104420.tif 000007
【図６】
2007104420.tif 000008
【図７】
2007104420.tif 000009
【図８】
2007104420.tif 000010
【図９】
2007104420.tif 000011
【図１０】
2007104420.tif 000012
【図１１】
2007104420.tif 000013
【図１２】
2007104420.tif 000014
【図１３】
2007104420.tif 000015
【図１４】
2007104420.tif 000016